(57)【要約】  座席背もたれのための腰椎部サポートであって、座席背もたれの長手方向に延びるサポートバスケット１０、サポートバスケット１０が備え付けられるフレーム１２及びフレームに対してサポートバスケットの位置を変える調節装置１１を含み、調節装置は、複数の調節部材６０を含み、それらのいくつかは、互いに対して移動できる。
2008543391.tif 000002
【特許請求の範囲】
【請求項１】
座席背もたれのための腰椎部サポートであって、
‐座席背もたれの長手方向に延びるサポートバスケット（１０）と、
‐サポートバスケット（１０）が備え付けられるフレーム（１２）と、
‐フレームに対するサポートバスケットの位置を変える調節装置（１１）と、
を含み、
調節装置が、複数の調節部材（６０）を有し、調節部材のいくつかが、互いに対して移動できることを特徴とする、腰椎部サポート。
【請求項２】
調節装置（１１）が、複数の調節部材を含む少なくとも１つの調節要素（１５）を有していることを特徴とする、請求項１に記載の腰椎部サポート。
【請求項３】
調節要素（１５）が、その末端の両方で引張り要素と接続されて、引張り要素の作動が、調節部材（６０）の少なくともいくつかの位置を互いに対して変えることを特徴とする、請求項２に記載の腰椎部サポート。
【請求項４】
引張り要素が、ボーデンケーブルであり、ボーデンケーブルのコア（１４）が、調節要素の一方の末端に取り付けられており、コア（１４）に対するスリーブ（１６）が、調節要素の他の末端に取り付けられていることを特徴とする、請求項３に記載の腰椎部サポート。
【請求項５】
サポートバスケット（１０）が、フレーム（１２）のその末端の一方で旋回して、その第二の末端が、調節装置（１１）が作動すると、フレームから離れて自由に回転することを特徴とする、先行する請求項のいずれか１つに記載の腰椎部サポート。
【請求項６】
調節装置が、２つの調節要素（１５ａ、１５ｂ）を含み、調節要素のそれぞれが、複数の調節部材を有し、２つの調節要素が、互いにそれらの末端で接続されていることを特徴とする、請求項２〜５のいずれか１つに記載の腰椎部サポート。
【請求項７】
調節要素（１５ａ、１５ｂ）の２つの第一の末端が、ボーデンケーブルのコアに接続されているのに対し、調節要素の他の２つの末端が、ボーデンケーブルのスリーブ（１６）に接続されていることを特徴とする、請求項４又は６に記載の腰椎部サポート。
【請求項８】
引張り要素が作動すると、一方の調節要素（１５ｂ）が凸面状に曲げられ、他方の調節要素（１５ａ）が凹面状に曲げられることを特徴とする、請求項７に記載の腰椎部サポート。
【請求項９】
調節要素（１５）のいくつかの調節部材が、互いに対して堅く配列されているのに対し、調節要素の他の隣接する調節部材が、互いに対して移動可能に配列されていることを特徴とする、先行する請求項のいずれか１つに記載の腰椎部サポート。
【請求項１０】
調節要素（１５ｂ）の一つが、この調節要素の両端がフレームに対して移動可能に配列されるように、フレーム（１２）に備え付けられていることを特徴とする、請求項６〜８のいずれか１つに記載の腰椎部サポート。
【請求項１１】
引張り要素が作動すると、フレーム（１２）に備え付けられた調節要素（１５ａ）が凹面状に曲げられるのに対し、他の調節要素が凸面状に曲げられることを特徴とする、請求項８又は１０に記載の腰椎部サポート。
【請求項１２】
調節装置が、座席背もたれの長手方向に変位可能に配列されていることを特徴とする、請求項１０又は１１に記載の腰椎部サポート。
【請求項１３】
サポートバスケット（１０）がフレーム（１２）に実質的に平行に配置される第一の停止位置に、装置（１１）があるとき、調節要素（１５ａ、１５ｂ）が、フレームに実質的に平行に配置されていることを特徴とする、先行する請求項のいずれか１つに記載の腰椎部サポート。
【請求項１４】
座席背もたれの自由端から見ると、調節要素（１５）の上部自由端が、ボーデンケーブルのコア（１４）に接続されており、調節要素（１５）の他の自由端が、ボーデンケーブルのスリーブ（１６）に接続されていることを特徴とする、請求項４〜１３のいずれか１つに記載の腰椎部サポート。
【請求項１５】
フレームに固定されていない調節要素が、座席背もたれの自由端から見て、より多くの調節部材が調節要素（１５ａ）の下部区分内でよりも調節要素（１５ａ）の上部区分内で互いに対して移動できないように、構成されていること特徴とする、請求項６〜１４のいずれか１つに記載の腰椎部サポート。
【請求項１６】
フレーム（１２）に固定されている調節要素（１５ｂ）が、座席背もたれの自由端から見て、より多くの調節部材が調節要素の下部区分内よりも調節要素の上部区分内で互いに対して移動できるように、構成されていることを特徴とする、請求項６〜１５のいずれか１つに記載の腰椎部サポート。
【請求項１７】
調節要素が、横材（５６、５７）により各平面方向の縁部で縁付けされている波状の細長い片（５５）を含むことを特徴とする、先行する請求項のいずれか１つに記載の腰椎部サポート。
【請求項１８】
横材（５６、５７）が、調節部材（６０）の互いに対する可動性を確かにする切り込み（５８）及び／又はくぼみ（５９）を含むことを特徴とする、請求項１５に記載の腰椎部サポート。
【請求項１９】
切り込み（５８）が、横材（５６、５７）の一方の末端上に形成されており、くぼみ（５９）が、横材の他の末端に形成されていること特徴とする、請求項１８に記載の腰椎部サポート。
【請求項２０】
座席背もたれのための腰椎部サポートであって、
‐座席背もたれの長手方向に延びるサポートバスケット（１０）と、
‐サポートバスケットが備え付けられるフレーム（１２）と、
‐フレームに対してサポートバスケットの位置を変化させる調節装置（１１）と、
を含み、
サポートバスケット（１０）が、フレーム（１２）に対して一方の末端でのみ旋回するのに対し、サポートバスケットの第二の末端が、自由に移動でき、且つ、調節装置が作動すると、フレームから離れて回転することを特徴とする、腰椎部サポート。
【請求項２１】
座席背もたれの自由端から見て、サポートバスケットの上部端が、フレームに固定されるのに対し、下部端が、自由に移動できることを特徴とする、請求項２０に記載の腰椎部サポート。
【発明の詳細な説明】
【技術分野】
【０００１】
本発明は、座席背もたれのための腰椎部サポートに関する。本発明は特に、自動車座席、事務用家具の椅子又は家庭用家具の椅子の背もたれに組み込まれるような腰椎部サポートに関する。
【背景技術】
【０００２】
この種類の腰椎部サポートは、適切な支え表面を形成することにより座席上に座る人の腰椎骨又は脊柱前弯症の領域に適切な支えを提供するために、座席背もたれに組み込まれる。一般に、腰椎部サポートは、座席背もたれの中に配列されるフレームに固定されるサポートバスケットを有する。調節装置を用いて、サポートバスケットの湾曲又は凸面体が、手動式か又は電気式のいずれかで正常に調節されることができる。調節装置を用いて、座席上に座る人は、腰椎部サポートにより提供される背部の支えを、個々にその必要性に適応させることができる。
【発明の開示】
【発明が解決しようとする課題】
【０００３】
ＤＥ１０２１３３７７Ａｌから、腰椎部サポートを有する座席背もたれが知られており、その中で、調節装置は、湾曲に留意しながら腰椎部サポートの動作を調節するために提供されて、前記調節装置は、腰椎部サポート上で作動するために、湾曲された作動する面で提供されて、旋回軸の周りで回転可能に備え付けられる湾曲された本体を有する。しかしながら、サポートバスケットとしたがって座席背もたれの湾曲は、上記のシステムにより、狭い区域内でのみ変えることができる。さらに、低位腰椎骨の領域に対する最適な支えは、上記のシステムでは可能ではない。
【０００４】
したがって、本発明の目的は、腰椎部サポートを提供することであり、その中で湾曲は、より変動可能に調節されることができ、それにより腰椎部サポートは、より個別に、座席上に座っている人の異なる体の幾何学形状に対して調節されることができる。加えて、腰椎脊柱の低位領域は、理想的に支えられなければならない。この目的は、本発明にしたがって、独立した請求項にしたがう腰椎部サポートにより達成される。本発明の好ましい実施形態は、従属の請求項内で特定される。
【課題を解決するための手段】
【０００５】
第一の実施形態により、本発明による腰椎部サポートは、座席背もたれの長手方向に延びるサポートバスケットと、サポートバスケットが備え付けられるフレームとを有する。加えて、フレームに対してサポートバスケットの位置を変えるか又は調節する調節装置が、提供される。本発明により、調節装置は複数の調節部材を含み、それらのいくつかは、互いに対して移動できるように配列される。複数の調節部材のために、それらのいくつかは、互いに対して移動できて、いくつかは、互いに対して移動できず、調節装置は、座席に座る人の低位背部領域のより良好な支えが可能であるように、サポートバスケットの位置に影響を与えることができる。
【０００６】
調節装置は、好ましくは、複数の調節部材を含む少なくとも１つの調節要素を有する。この調節要素は、２つの末端を有することができ、各末端は、引張り要素に接続されており、その動作は、調節部材の位置を互いに対して少なくとも部分的に変える。引張り要素の動作を通じて、調節要素の曲率半径は変わり、調節部材の位置は部分的に変わる。調節部材が互いに対してそれらの位置を僅かにのみ変えるか又は全く変えない、調節装置の領域において、曲率半径は大きい。ほとんどの調節部材が互いに対して変位する、調節要素の領域において、曲率半径は小さい。引張り要素の動作を通じて、調節装置は、サポートバスケットを押し、それによりフレームに対するその位置を変える。
【０００７】
好ましい実施形態において、引張り要素は、ボーデンケーブルであり、ボーデンケーブルのコアは、調節要素の一方の末端に備え付けられ、コアが誘導されるスリーブは、調節要素の他方の末端に備え付けられる。コアが引かれるとき、調節要素の２つの末端は互いに向かって移動し、それにより調節要素の湾曲は変わる。
【０００８】
調節装置が作動すると、たとえば、上記のようにボーデンケーブルのコアを引くことにより、調節装置は、サポートバスケットを押す。後者は、好ましくは、その末端の一方のみによりフレームに回転可能に備え付けられ、第二の末端は、座席背もたれの中で自由に旋回できる。サポートバスケットは、好ましくは、フレームの上部末端に備え付けられ、座席背もたれの上部末端から見ると、座席上の人の腰椎の領域を支えるべきサポートバスケットの下部末端は、調節装置が作動すると、人の背部の方向に離れて回転する。
【０００９】
加えて、調節装置は、２つの調節要素を有してもよく、各要素は、複数の調節部材を有しており、２つの調節要素は、それらの末端により互いに接続されている。２つの調節要素が、それぞれ複数の調節部材を有し、使用される場合、サポートバスケットとその湾曲の作動は、より幅広く変わることができる。好ましくは、２つの調節要素の２つの第一の末端が、ボーデンケーブルのコアに接続されるのに対し、調節要素の他の２つの末端は、ボーデンケーブルのスリーブに接続される。ボーデンケーブルが作動する場合、一方の調節要素は、凸面状の湾曲を採り、他方の調節要素は、凹面状の湾曲を採る。２つの調節要素の一方は凸面状、他方は凹面状の湾曲を通じて、調節装置の脊椎の伸展は、短い取っ手を用いて大きく変えることができ、それによりサポートバスケットはまた、より簡単に弓状に曲るか又は回転することができる。
【００１０】
好ましくは、調節要素のいくつかの隣接する調節部材が、互いに対して固定された方法で配列されるのに対し、調節要素の他の隣接する調節部材は、互いに対して移動可能に配列される。相互に固定された調節部材と相互に移動可能な調節部材との量の選択を通じて、湾曲としたがってサポートバスケットの作動を、促すことができる。
【００１１】
２つの調節要素が提供される場合、調節要素の一つは、この調節要素の両末端が自由に移動できるように、フレームに備え付けられる。好ましくは、フレームに備え付けられる調節要素は、フレームに２つの末端の間のほぼ中心に備え付けられる。
【００１２】
加えて、調節装置は、座席背もたれの長手方向に変位可能に配列されてもよい。たとえば、フレームに備え付けられる調節要素は、フレーム上の長手方向に誘導されてもよく、後者に垂直なフレームに接続される調節要素の領域の移動は、可能ではない。
【００１３】
さらなる好ましい実施形態により、フレーム上で誘導される調節要素が、引張り要素が作動すると、凹面状に曲げられてもよいのに対し、フレームに備え付けられていない他の調節要素は、凸面状に曲げられる。引張り要素が作動せず、調節装置がその停止位置にある場合、調節要素は、フレームに実質的に平行に配置され、サポートバスケットはまた、フレームに実質的に平行に配置される。引張り要素が作動すると、調節要素の２つの末端は、互いに向かって移動し、そのために一方の調節要素は凹面状に曲り、他方は凸面状に曲り、サポートバスケットは、フレームからその下部末端で揚がる。好ましくは、サポートバスケットの下部末端は、フレームに備え付けられていない。したがって、下部末端は、前面に向かって回転する。この方法で、サポートバスケットの下部末端は、サポートバスケットがフレームにその下部末端により固定された場合よりも良好に、座席上に座る人の脊柱の低位領域を支えることができる。背部の下部末端はしたがって、サポートバスケットの自由端により、より良好に支えられることができる。
【００１４】
さらに、調節要素（単数）又は要素（複数）の上部自由端が、座席背もたれの自由端から見ると、ボーデンケーブルのコアに接続されることができるのに対し、調節要素（単数）又は要素（複数）の下部末端は、ボーデンケーブルのスリーブに接続される。
【００１５】
互いに対して隣接する調節部材の可動性の選択を通じて、又は互いに対して調節部材を固定することにより、調節要素としたがって調節装置の湾曲が、選択されることができる。好ましい実施形態において、フレームに固定されていない調節要素は、座席背もたれの自由端から見て、より多くの調節部材が調節要素の下部区分内でよりも調節要素の上部区分内で互いに対して移動できないように、構成されてもよい。同様に、フレームに固定される調節要素は、座席背もたれの自由端から見て、より多くの調節要素が、この調節要素の下部区分内でよりも調節要素の上部区分内で互いに対して移動できるように、構成されてもよい。上記の実施形態を通じて、調節装置の湾曲は、非均一に選択されることができる。加えて、それにより、引張り要素が作動するとき湾曲の極点がより低く下方へ移動し、それにより、加えて、背部の低位部がより良好に支えられることを達成することができる。
【００１６】
調節要素は、好ましくは横材によりその平面方向の縁部の個々の上に縁付けされている波状の細長い片である。横材は、たとえば、互いに対する個々の調節部材の可動性を確かにする切り込み及び／又はくぼみを有してもよい。切り込みは、横材の一方の縁部上で形成されてもよく、くぼみは、横材の他方の、対向する縁部上で形成されてもよい。切り込みとくぼみとが提供されない場合、調節部材は、互いに対して移動できず、そのために調節要素のこの断面は同様に、曲げられることができない。
【００１７】
本発明はまた、座席背もたれの長手方向に延びるサポートバスケットを有する座席背もたれのための腰椎部サポートに関する。腰椎部サポートはまた、サポートバスケットが備え付けられるフレームと、フレームに対するサポートバスケットの位置を変える調節装置とを有する。本発明の一態様により、サポートバスケットが、一方の末端のみによりフレームに回転可能に固定されるのに対し、サポートバスケットの他の末端は、自由に移動でき、調節装置が作動すると、フレームから離れて回転する。サポートバスケットの一方の末端が、好ましくは、座席ベースの近傍に配置されるサポートバスケットの下部末端がフレームに固定されないという事実により、サポートバスケットは、従来技術において普通であるような、サポートバスケットがまたフレームにその下部末端により固定されなかった場合よりも良好に、背部の低位領域を支えることができる。サポートバスケットの下部末端が自由に移動することで、サポートバスケットが座席背もたれの内部に配置され、そのために自由動作が座席背もたれカバーにより限定されるという事実が考慮されることが当業者に明らかである。しかしながら、本発明の文脈において、「自由」は、この末端がフレームに固定されていないことを意味する。
【発明を実施するための最良の形態】
【００１８】
本発明は、付属の概略の図面を参照して以下により詳細に明らかにされ、その中で、
【００１９】
図１及び２は、第一の実施形態による腰椎部サポートを概略的に示す。腰椎部サポートは、座席の背もたれ（図示されず）に組み込まれる、破線で示されるサポートバスケット１０を有する。フレーム１２に備え付けられた調節装置１１がまた提供されて、その調節装置１１を用いて、サポートバスケット１０を移動することができる。図１に示される実施形態において、サポートバスケット１０は、フレーム１２に実質的にほぼ平行に配置される。この位置において、それは、座席上に配置される人の低位背部領域の独立した支えを形成しない。フレーム１２は、座席背もたれの長手方向を画定する。
【００２０】
図２に示される位置において、調節装置１１は、サポートバスケット１０を前面へ押した。調節装置は、ボーデンケーブル１３により作動し、ボーデンケーブルのコア１４は、調節装置１２の調節要素１５の上部末端に固定されている。コア１４がそれに誘導されるスリーブ１６は、調節要素１５の下部末端に取り付けられる。ボーデンケーブル１４が引かれるとき、調節要素１５の上部及び下部の末端は、互いに向かって移動し、そのために調節要素１５は、図２に示すように凸面状に曲がり、したがってサポートバスケット１０を外に向かってその下部末端で押す。図１及び２で示される実施形態において、調節要素１５の末端は、フレーム１２上の誘導装置１７にそれぞれ誘導され、そのためにコア１４が作動すると、それらは、互いに向かって移動することができる。さらに、調節装置１１の全体は、概略的に示されるボーデンケーブル１８を備えたフレーム１２に沿って鉛直に移動されることができる。結果として、調節装置１１は、曲がることができ、独立した機構を用いて高さが調節されることができる。図５及び８に関連して後に詳細に説明されるように、調節要素１５が、上部区分Ｄが比較的小さな量で曲げられるのに対し、下部区分Ｃがより大きな量で曲げられるように、構成されてもよい。座席上に配置される人の腰椎部の領域はそれにより、座席背もたれ（図示されず）が図１又は２のように形成される場合、より良好に支えられることができる。
【００２１】
腰椎部サポートのさらなる実施形態が、図３及び４に示される。この実施形態おいて、調節装置１１は、２つの調節要素１５ａ及び１５ｂを有し、前記調節要素は、互いにそれらの末端のそれぞれにより接続される。これらの末端は、図１及び２のようにボーデンケーブルのコア１４及びスリーブ１６に接続される。図示される実施形態において、背面の調節要素１５ｂは、ガイド３１を用いてフレーム１２に備え付けられる。ガイド３１は、そのコア３２が図示されている、さらなるボーデンケーブルを用いてフレームに沿って高さが調整できる。図４で理解できるように、コア１４が引かれるとき、調節装置１１は、調節要素１５ａが凸面状に変形されるのに対し、調節要素１５ｂが凹面状に変形されるように、変形される。２つの調節要素１５ａ、１５ｂの変形を通じて、調節装置１１の比較的鋭い湾曲が達成されることができ、それによりサポートバスケット１０は、その自由端で座席上に座っている人の背部に向けて移動する。
【００２２】
図４に示される実施形態において、調節要素１５ｂが、上部区分Ａが比較的大きな量で曲げられるのに対し、調節要素１５ｂの下部区分Ｂがわずかにのみ曲げられるように構成される。したがって、ボーデンケーブルの作動により、湾曲の極点３３をさらに下方へ及び前面に向けて移動させることが可能であり、背部の低位腰椎領域をさらにより強固に支えることを可能にする。自明であるが、調節要素の区分Ａ、Ｂ、Ｃ及びＤはまた、それらがすべて均一に曲がるように構成されてもよく、そのために湾曲の極点３３は、下方ではなく前面に向かってのみ移動するであろう。
【００２３】
図５では、調節装置１１が、背面から斜視的に示される。調節装置１１は、背面の調節要素１５ｂにより、２つの誘導装置３１に接続する誘導プレート５０を介してフレーム（図示されず）に接続される。ボーデンケーブル（図示されず）のコア３２を用いて、調節装置全体の高さが、上方又は下方に調節されることができる。
【００２４】
２つの調節要素１５ａ及び１５ｂが、上部接続棒５１により互いに接続されることを理解することができる。この接続棒５１はシャフト５２を有し、前記シャフトにより、調節要素１５ａ及び１５ｂの２つの末端が互いに接続される。加えて、ボーデンケーブルコア１４が、接続棒に接続される。
【００２５】
同様の方法で、調節要素１５ａ、１５ｂの２つの下部末端が、下部接続棒５３によりシャフト５２に接続されて、前記シャフトにボーデンケーブルのスリーブ１６がまた接続される。ボーデンケーブルが作動するとき、棒５１は、棒５３に向かって引かれ、そのために調節要素１５は、曲がる。
【００２６】
図５及び６で理解できるように、調節要素は、波状の細長い片５５の形態である。この細長い片は、その平面方向の縁部のそれぞれの上で、横材５６と横材５７とにより縁付けされる。この横材は、横材５６の一方の縁部に切り込み５８を有してもよく、横材の他方の縁部にくぼみ５９を有してもよい。くぼみは、横材の湾曲の内部側面上に形成され、ボーデンケーブルコア１４が作動すると、調節要素は、曲がることができる。外部側面上で、切り込み５８が、調節要素１５の湾曲と、個々の調節部材６０の互いに対する移動とを可能にするように提供される。
【００２７】
図５で理解できるように、複数の調節部材６０は、くぼみ５９が提供されているために、調節要素１５ａの下部区分内で互いに対して移動できる。結果として、調節要素１５ａのこの区分は、調節要素１５ａの上部区分よりも鋭く曲がり、前記調節要素の内部側面において、くぼみ５９が提供されず、そのために個々の調節部材６０の互いに対する移動は、上部区分内において可能ではない。図４との比較から、下部区分が区分Ｃに対応し、一方で上部区分が区分Ｄに対応することが明らかである。
【００２８】
調節要素１５ｂの場合、これは、図示される実施形態において反対であり、調節要素１５ｂの下部区分の上部部分内でよりも下部部分内でくぼみ５９はより少なく、そのために下部部分は、調節要素１５ｂの上部区分よりも鋭くは曲がらない。図４との比較から、下部部分が区分Ｂに対応し、上部部分が区分Ａに対応することが理解できる。
【００２９】
要約すると、横材の構成を通じて、特に切り込みとくぼみとの選択を通じて、湾曲に対する調節要素の動作を、画定することができると言える。図５に示される調節要素１５ａ及び１５ｂを選択して、湾曲の極点が比較的遠くの下方へ配置されることが達成された。切り込みとくぼみ５８と５９を異なるように配置して、湾曲に留意しながらの調節要素１５の動作が、対応して変わる。
【００３０】
図６は、ボーデンケーブルのコア１４が伸長していないときの２つの調節要素１５ａ及び１５ｂを示す。この実施形態において、２つの調節要素１５ａ、１５ｂは、互いに実質的に平行に配置される。
【００３１】
図７ａ及び７ｂでは、背面の調節要素１５ｂが表される。図７ａは、ボーデンケーブルがコア１４で作動したときの調節要素の形状を示し、図７ｂでは、調節要素１５ｂが湾曲されていない状態で示される。図８ａ及び８ｂでまた示されるように、調節要素は、横材５６、５７により縁付けされる波状の細長い片５５を含む。くぼみ５９は、湾曲の内部側面上に配列され、切り込み５８は、個々の調節部材６０の互いに対する変位を可能にするように他の縁部上に提供される。湾曲の内部側面上のくぼみ５９は、個々の調節部材が湾曲の場合互いに対して移動できるために必要である。調節要素１５ｂの中央の区分において、切り込み５８及びくぼみ５９は、その区分内の調節部材が互いに対して移動することができないように提供されない。この中央の区分は、図５に示されるように誘導プレート５０に固定するために、したがってフレーム１２に固定するために使用される。孔７１を備えた指状部７０が、調節要素１５ｂの各末端に備え付けられ、前記孔を通じてシャフト５２が押される。調節要素１５ｂの指状部７０は、調節要素１５ａの２つ脚６１の間に配置され（図６）、２つの調節要素１５ａ、１５ｂは次に、スピンドル６２を軸に移動可能に配置される。
【００３２】
図９及び１０では、腰椎部サポートが斜視図で示され、サポートバスケットが図９内の低位腰椎領域を支えるように示され、一方でサポートバスケット１０は、図１０内のフレーム１２に対してとどまる。
【００３３】
サポートバスケットの上部末端は、フレームの横サポート９０で旋回される。サポートバスケットは、接続横材９２により互いに接続される櫛様の指状部９１を有する。フレーム１２の長手方向において、サポートバスケット１０は、その背側面上に、調節装置１１の高さがボーデンケーブル９４により調節されるときに前面の調節要素１５ａが溝９３に沿って摺動できるように寸法の決められた、溝９３を有する。ボーデンケーブル９４は、作動装置９５を含み、前記作動装置を用いて、調節装置１１の高さは、変えることができる。ボーデンケーブル９４、作動装置を用いてのその作動、及びフレーム１２へのその固定は、従来技術に対応するので、これらの要素は、本明細書でさらに記載される必要はない。
【００３４】
明確にする理由で、調節装置１１の湾曲を変えるためのボーデンケーブルは、示されていない。
【００３５】
サポートバスケット１０は、その指状部の背側面上に、前記指状部９１を補強するための補強リブ９６を有する。サポートバスケット１０の底部での２つの最後の指状部は、互いに結合される。
【００３６】
サポートバスケットがフレームにその下部末端で固定されないという事実により、それは、座席上の下部領域に座っている人の低位背部を、より良好に固定することができる。加えて、サポートバスケットの材料を選択することで、前記バスケットが、下部末端がフレーム１２に固定されるときに、従来技術において普通であるように、鋭く曲がっていることを確かめる必要はない。フレームに対して向き合うサポートバスケットの側面がまた、調節装置が溝９３内で簡単に移動できるような材料から作られることができる。
【００３７】
要約すると、本発明は、湾曲を不均一に分配することができ、かつサポートバスケットが脊柱の低位領域を良好に誘導することができる、腰椎部サポートを可能にする。
【図面の簡単な説明】
【００３８】
【図１】停止位置及び湾曲された位置での第一の実施形態による腰椎部サポートを示す。
【図２】停止位置及び湾曲された位置での第一の実施形態による腰椎部サポートを示す。
【図３】停止位置及び湾曲された位置での第二の好ましい実施形態による腰椎部サポートを示す。
【図４】停止位置及び湾曲された位置での第二の好ましい実施形態による腰椎部サポートを示す。
【図５】湾曲された状態での第二の実施形態の調節装置を示す。
【図６】停止位置での図５の調節装置を示す。
【図７ａ】湾曲された状態及び湾曲されていない状態での調節装置の調節要素を斜視図で示す。
【図７ｂ】湾曲された状態及び湾曲されていない状態での調節装置の調節要素を斜視図で示す。
【図８ａ】湾曲された状態及び湾曲されていない状態での調節要素を斜視図で示す。
【図８ｂ】湾曲された状態及び湾曲されていない状態での調節要素を斜視図で示す。
【図９】展開されたサポートバスケットを備えた背面からの腰椎部サポートの全体を斜視図で示す。
【図１０】展開されていない状態での腰椎部サポートを斜視図で示す。
【図１】
2008543391.tif 000003
【図２】
2008543391.tif 000004
【図３】
2008543391.tif 000005
【図４】
2008543391.tif 000006
【図５】
2008543391.tif 000007
【図６】
2008543391.tif 000008
【図７ａ】
2008543391.tif 000009
【図７ｂ】
2008543391.tif 000010
【図８ａ】
2008543391.tif 000011
【図８ｂ】
2008543391.tif 000012
【図９】
2008543391.tif 000013
【図１０】
2008543391.tif 000014
【国際調査報告】
2008543391.tif 000015
2008543391.tif 000016
2008543391.tif 000017
2008543391.tif 000018